(57)【要約】【課題】従来技術の地下水低下工法に対して、低コストで、簡易に地下水の低下を得て、工事をなるべく短時間で低コストで行うことができる地下水位の低下を得る工法を提供する。【解決手段】内管（７）と外管（８）の二重管構造の浅井戸に、その内管（７）に自吸式ポンプを接続し、外管（８）には、通常のスリット（８−１）が設けられ、内管（７）の壁の所定の高さにまで、小穴（９）を設けた二重管構造の浅井戸の自吸式ポンプ（３）により、設計地下水位まで、揚水する、地下水揚水装置とその工法である。【選択図】　　図１
2004092095.tif 000002
【特許請求の範囲】
【請求項１】
内管（７）と外管（８）の二重管構造の浅井戸に、その内管（　７）に自吸式ポンプを接続し、外管（８）には、通常のスクリーン（１２）が設けら　れ、内管（７）の壁の所定の高さにまで、小穴（９）を設けた二重管構造の浅井戸を特徴とする浅井戸揚水装置。
【請求項２】
内管（７）と外管（８）の二重管構造の浅井戸に、その内管（　７）に自吸式ポンプを接続し、外管（８）には、通常のスクリーン（１２）が設けら　れ、内管（７）の壁の所定の高さにまで、小穴（９）を設けた二重管構造の浅井戸の自吸式ポンプ（３）により、設計地下水位まで、揚水することを特徴とする地下水揚水工法。
【発明の詳細な説明】
【０００１】
【発明の属する技術分野】
本発明は、地下水位を下げるための浅井戸構造に関する。本発明は、特に、地下水位を予め設定した地下水位低下量になるように低下させることができる浅井戸構造に関する。
【０００２】
【従来の技術】
従来、地下水位が高い地盤において、その地下水位より深い位置まで地盤掘削工事を行う場合には地下水による影響を防ぐために種々の排水工法が採用されている。通常規模の地下水排水には真空吸引により地下水を連続的に汲み上げるようにしたウエルポイント工法が広く採用されている。このウエルポイント工法では、地中に埋設されたウエルポイントを吸引口として地下水をライザーパイプを通じて地上の真空ポンプで吸引するので、気密保持が重要であり、機器の設定が全て終了した後に、揚水を行うために、設備が高コストとなり、運転に注意が必要である。
【０００３】
また、地下水低下工法には、特開２００２−１２１７４３号、特開２００１−２１４４５２号、特開平１１−１４１２６７号、特開平０９−３２８７４２号などがあるが、いずれも大きな施設と設備を必要としており、高コストのものである。
【０００４】
【発明が解決しようとする課題】
本発明は、以上の従来技術の地下水低下工法に対して、低コストで、簡易に地下水の低下を得て、工事をなるべく短時間で低コストで行うことができる地下水位の低下を得る工法を提供する。
【０００５】
【課題を解決するための手段】
本発明は、上記の問題点を解決すべく鋭意研究を重ねた結果、次のような、浅井戸構造を提供できた。それは、次のような手段による。
（ａ）内管（７）と外管（８）の二重管構造の浅井戸に、その内管（７）に自吸式ポンプを接続し、外管（８）には、通常のスクリーン（１２）が設けられ、内管（７）の壁の所定の高さにまで、小穴（９）を設けた二重管構造の浅井戸を特徴とする浅井戸揚水装置である。
（ｂ）内管（７）と外管（８）の二重管構造の浅井戸に、その内管（７）に自吸式ポンプを接続し、外管（８）には、通常のスクリーン（１２）が設けられ、内管（７）の壁の所定の高さにまで、小穴（９）を設けた二重管構造の浅井戸の自吸式ポンプ（３）により、設計地下水位まで、揚水することを特徴とする地下水揚水工法である。
【０００６】
従来のウエルポイント工法では、ヘッダーパイプや排水ポンプを設けなくてはならず、仮設排水設備の費用が大きくなる問題があった。更に、水中ポンプの細かい仕様や配管を決めて設置する必要があるために、排水設備計画が面倒であるとともに、設備規模が大がかりなものになるという問題もあった。
【０００７】
【発明の実施の形態】
本発明の浅井戸（１）の構造は、図１の断面図に示すような構造を有する。
地表面（２）から浅井戸を掘削し設け、自吸式ポンプ（３）に接続して、地下水を排出する構造である。
【０００８】
地下水は、平衡水位（４）にあるものとすると、地下水を自吸式ポンプで排出すると、地下水は、外管（８）のスリット（１２）を通り、内管（７）に設けた小穴（９）に流入し、自吸式ポンプ（３）により揚水される構造である。
【０００９】
本発明によると、内管（７）に設ける小穴（９）の位置を、予め設定した地下水位の位置（６）に合わせて設けたものである。即ち、工事、工法により望まれる地下水位に地下水位を低下するようにする。
従って、望まれる地下水位に任意に設定することが可能になる。
【００１０】
次に、本発明の浅井戸工法の手順を説明する。
浅井戸を掘削し、パイロットロッドを入れ、その先端から圧力水を噴出させ、スライムを排除する。次に、パイロットロッドを引き抜き、図示のような構造の浅井戸を所定深度まで建て込む。サンドフィルタを浅井戸の周囲に構築する。浅井戸に自吸式ポンプを接続し、揚水する。
所望の地下水位に低下させることができる。
そして、浅井戸による揚水を終了した後に、撤去するには、先ず、底蓋（１１）を壊し、ライザーパイプを引き抜きながら、隙間を砂で充填する。
【００１１】
図１の断面図により、本発明の浅井戸揚水工法の原理を説明する。
図１の浅井戸揚水工法では、例えば、長さ３〜６．５ｍで、５０〜７０ｍｍ径の内管（７）に、長さ３〜６ｍで、７５〜１００ｍｍ径の外管（８）を設けて、二重管にして、井戸の底には、底蓋（１１）が異形ソケット（１０）を介して二重管に取り付けられている。地表面に当る個所にも、異形ソケット（１０）が設けられ、ゴミなどが二重管に入らないようにされている。
【００１２】
本発明の浅井戸揚水装置による揚水を行わない前までは、地下水位は、平衡水位（４）にある。そして、本発明の揚水装置（１）により地下水の揚水を行うと、地下水位は、（５）で示す曲線のように低下して、本発明の浅井戸揚水装置（１）の周囲では、地下水位が低下して、建設工事などの工事が容易にできるようになる。そして、自吸式ポンプ（３）による揚水が進行して、地下水位が設計地下水位（６）より、高くなると、内管（８）の壁に設けた小孔（９）のもっとも高い位置のものから、空気が、自吸式ポンプに入り、それ以上は、揚水できなくなる。即ち、それ以上の地下水位の低下が、自動的に、不可能になる。
【００１３】
従って、本発明の揚水装置では、小孔（９）を設けた位置で決まる、所定深度以上に地下水位が、低下することはない。しかも、容易に地下水位を低下させることができる揚水装置が提供された。
【００１４】
本発明の浅井戸の二重管の部材材料としては、種々用いられるが、硬質塩化ビニル管あるいは配管用炭素鋼鋼管（ガス管）が好適と考える。
【００１５】
【発明の効果】
本発明の浅井戸揚水装置と揚水工法は、図示のような構造と構成により、次のごとき技術的効果があった。
第１に、本発明の揚水装置では、小孔（９）を設けた位置で決まる、所定深度以上に地下水位が、低下することはなく、簡単な装置で、容易に地下水位を低下させることができる。
第２に、以上に説明したような簡単な構造の浅井戸により、設計した地下水位になるように、水位を低下させることができる簡易型浅井戸工法を可能にした。
【図面の簡単な説明】
【図１】本発明の浅井戸構造の特徴を示すため、模式的な断面図である。
【符号の説明】
１　　　　本発明の浅井戸　　　　　　　２　　　　地表面
３　　　　自吸式ポンプに接続する
４　　　　平衡地下水位　　　　　　　　５　　　　揚水時の地下水位
６　　　　設計地下水位　　　　　　　　７　　　　内管
８　　　　外管　　　　　　　　　　　　９　　　　小孔
１０　　　　ソケット（異形）　　　　　１１　　　　底蓋
１２　　　　外管のスクリーン
【図１】
2004092095.tif 000003